(57)【要約】【課題】  電力増幅器における電源供給要因の発生時において信号の隣接チャンネル漏洩電力の増加を防止可能とする。【解決手段】  電力増幅器１００への電源供給停止要因の発生に応答して、電源供給停止より前に、電力増幅器１００よりも前段において、信号レベルの低下制御をなす制御部２００を含むことを特徴とする。これにより、電力増幅器１００から出力される信号の隣接チャンネル漏洩電力が、瞬間的に増加することを防止できる。【選択図】      図１
2010183212.tif 000002
【特許請求の範囲】
【請求項１】
電力増幅器への電源供給停止要因の発生に応答して、電源供給停止より前に、前記電力増幅器よりも前段において信号レベルの低下制御をなす制御手段を含むことを特徴とする送信電波停止装置。
【請求項２】
前記制御手段は、送信電波停止操作に応答して、電源供給を停止する前に前記信号レベルの低下制御をなす停波処理制御手段を有することを特徴とする請求項１記載の送信電波停止装置。
【請求項３】
前記制御手段は、前記電力増幅器への供給電圧の低下を検出する検出手段と、この検出手段による電圧低下検出に応答して、電源供給を停止する前に前記信号レベルの低下制御をなす停波処理制御手段とを有することを特徴とする請求項１記載の送信電波停止装置。
【請求項４】
前記制御手段は、前記信号レベルの低下のために、信号を断とするスイッチ回路を有することを特徴とする請求項１〜３いずれか記載の送信電波停止装置。
【請求項５】
前記制御手段は、前記信号レベルの低下のために、信号を減衰する減衰回路を有することを特徴とする請求項１〜３いずれか記載の送信電波停止装置。
【請求項６】
前記電力増幅器は、送信すべきデジタル変調信号がアナログ変換された後に周波数変換された信号を増幅するよう構成されており、
前記制御手段は、前記電源供給停止する前に、前記デジタル変調信号に代えて“０”の固定パターン信号を生成することを特徴とする請求項１〜３いずれか記載の送信電波停止装置。
【請求項７】
請求項１〜６いずれか記載の送信電波停止装置を含むことを特徴とする送信装置。
【請求項８】
電力増幅器への電源供給停止要因の発生に応答して、電源供給停止より前に、前記電力増幅器よりも前段において信号レベルの低下制御をなす制御ステップを含むことを特徴とする送信電波停止方法。
【請求項９】
前記制御ステップは、送信電波停止操作に応答して、電源供給を停止する前に前記信号レベルの低下制御をなすステップを有することを特徴とする請求項８記載の送信電波停止方法。
【請求項１０】
前記制御ステップは、前記電力増幅器への供給電圧の低下を検出する検出ステップと、この検出ステップによる電圧低下検出に応答して、電源供給を停止する前に前記信号レベルの低下制御をなす停波処理制御ステップとを有することを特徴とする請求項８記載の送信電波停止方法。
【請求項１１】
前記制御ステップは、前記電力増幅器よりも前段において信号を断とするステップを有することを特徴とする請求項８〜１０いずれか記載の送信電波停止方法。
【請求項１２】
前記制御ステップは、前記電力増幅器よりも前段において信号を減衰するステップを有することを特徴とする請求項８〜１０いずれか記載の送信電波停止方法。
【請求項１３】
前記電力増幅器は、送信すべきデジタル変調信号がアナログ変換された後に周波数変換された信号を増幅するよう構成されており、
前記制御ステップは、電源供給停止する前に、前記デジタル変調信号に代えて“０”の固定パターン信号を生成することを特徴とする請求項８〜１０いずれか記載の送信電波停止方法。
【発明の詳細な説明】
【技術分野】
【０００１】
本発明は送信電波停止装置及びそれを用いた送信装置並びに送信電波停止方法に関し、特にデジタルマイクロ波送信装置に用いて好適な送信電波停止方式に関するものである。
【背景技術】
【０００２】
本発明に関連するデジタルマイクロ波送信装置について、概略機能ブロック図である図８を参照して説明する。エンコーダ２は、デジタルマイクロ波送信装置に入力された映像・音声信号１を符号化・圧縮する。デジタル変調器３は、このエンコーダ２の出力をＩＦ（中間周波）信号に変換する。ＩＦ増幅器４は、このＩＦ信号を増幅して周波数変換器６へ供給する。ＳＨＦ（Super-High Frequency）電力増幅器７は、この周波数変換器６からの信号を増幅してＳＨＦ出力８として導出することになる。
【０００３】
ここで、電圧低下検出回路１０及び電力増幅器用電源１２は、本デジタルマイクロ波送信装置に供給された電源９を入力としており、電力増幅器用電源１２は、電源スイッチ回路１１を介してＳＨＦ電力増幅器７へ電源を供給する。電圧低下検出回路１０は、本装置へ供給される電源電圧を監視しており、電圧低下を検出した時には、電源スイッチ回路１１に対してＳＨＦ電力増幅器７への電源供給を停止するよう制御信号を出力する。なお、かかるデジタルマイクロ波送信装置の例は、特許文献１に示されている。
【先行技術文献】
【特許文献】
【０００４】
【特許文献１】特開２００１−１６８７４０号公報
【発明の概要】
【発明が解決しようとする課題】
【０００５】
このような図８に示したデジタルマイクロ波送信装置においては、次のような課題がある。スイッチ操作による送信電波の停止を行ったり、事故や故障などに起因して装置への電源供給が停止した場合、装置から出力されるＳＨＦ信号の隣接チャネルに対する漏洩電力が瞬間的に悪化する。
【０００６】
例えば、図９の例に示すように、電源供給停止に応答して、ＳＨＦ電力増幅器７への供給電圧が降下中も、このＳＨＦ電力増幅器７へは信号が入力されている。よって、図９のｔ１〜ｔ２の期間は、図１０のスペクトラムに示すように、ＳＨＦ出力信号の隣接チャンネル漏洩電力が増加してしまい、その結果、隣接するチャンネルを使用している他のマイクロ波回線へ妨害を与えるという問題がある。
【０００７】
なお、図１１は、通常動作時におけるＳＨＦ信号の隣接チャンネル漏洩電力のスペクトラムを、参考までに示しており、この例では、隣接チャンネル漏洩電力が増加していないことを示すものである。
【０００８】
本発明の目的は、電力増幅器における電源供給要因の発生時において隣接チャンネル漏洩電力の増加を防止可能とした送信電波停止装置及びそれを用いた送信装置並びに送信電波停止方法を提供することである。
【課題を解決するための手段】
【０００９】
本発明による送信電波停止装置は、電力増幅器への電源供給停止要因の発生に応答して、電源供給停止より前に、前記電力増幅器よりも前段において信号レベルの低下制御をなす制御手段を含むことを特徴とする。
【００１０】
本発明による送信装置は、上記の送信電波停止装置を含むことを特徴とする。
【００１１】
本発明による送信電波停止方法は、電力増幅器への電源供給停止要因の発生に応答して、電源供給停止より前に、前記電力増幅器よりも前段において信号レベルの低下制御をなす制御ステップを含むことを特徴とする。
【発明の効果】
【００１２】
本発明によれば、電力増幅器への電源供給停止要因の発生に応答して、電源供給停止より前に、電力増幅器よりも前段において信号レベルの低下制御をなすようにしたので、電力増幅器から出力される信号の隣接チャンネル漏洩電力が瞬間的に増加することを防止できるという効果がある。
【図面の簡単な説明】
【００１３】
【図１】本発明の原理を示す概略機能ブロック図である。
【図２】本発明の原理を示す概略動作フロー図である。
【図３】本発明の一実施の形態を示すブロック図である。
【図４】本発明の一実施の形態の動作を示すタイミング図である。
【図５】本発明の他の実施の形態の動作を示すタイミング図である。
【図６】本発明の更に他の実施の形態を示すブロック図である。
【図７】本発明の別の実施の形態を示すブロック図である。
【図８】本発明に関連するデジタルマイクロ波送信装置の例を示すブロック図である。
【図９】図８のブロック図におけるＳＨＦ電力増幅器への供給電圧の変化を示す図である。
【図１０】図８のブロック図におけるＳＨＦ出力信号の隣接チャンネル漏洩電力の悪化状態を示すスペクトラムのー例を示す図である。
【図１１】図８のブロック図の通常動作時におけるＳＨＦ出力信号の隣接チャンネル漏洩電力のスペクトラムの例を示す図である。
【発明を実施するための形態】
【００１４】
以下に、図面を参照しつつ本発明の実施の形態を説明するが、それに先立ち、本発明をより良く理解するために、図１及び図２を用いて本発明の原理を説明する。先ず図１を参照すると、図１は本発明の原理を示す概略機能ブロック図である。図において、電力増幅部１００は、増幅すべき信号を、レベル制御用スイッチ回路３００を介して入力し電力増幅する。制御部２００は、装置の電源を監視して、その監視結果に応じてレベル制御用スイッチ回路３００の切替のための信号レベル制御信号を生成すると共に、電力増幅器１００への電源供給制御を行う。
【００１５】
図２を参照すると、送信電波停止操作や、電力増幅器への供給電源の低下等、電力増幅器１００への電源供給停止要因が発生すると（ステップＳ１）、制御部２００は、これを検出して、電力増幅器１００の前段のレベル制御用スイッチ回路３００をオフ制御して、信号レベルの低下が実行される（ステップＳ２）。しかる後に、制御部２００は、電力増幅器１００への電源供給を停止するのである（ステップＳ３）。
【００１６】
換言すれば、制御部２００は、電力増幅器１００への電源供給停止要因の発生に応答して、この電源供給停止より前に、電力増幅器１００よりも前段において信号レベルの低下制御をなすものである。よって、電力増幅器１００への供給電圧が降下中には、既に電力増幅器１００へは信号が入力されていないので、電波の発射を停止する際には、装置から出力される送信信号の隣接チャンネル漏洩電力が瞬間的に増加することがなくなる。この場合の信号レベル低下制御の例としては、信号レベルを完全に０（信号断）とする以外に、通常動作時の信号の平均レベルよりも小とすることも可能である。
【００１７】
以下に、本発明の一実施の形態について、図３を参照して説明する。なお、図３において、図８と同等部分は同一符号をもって示している。本発明の一実施の形態として、テレビジョン信号のデジタルマイクロ波送信装置を示している。
【００１８】
エンコーダ２は、デジタルマイクロ波送信装置に入力された映像・音声信号１を符号化・圧縮した後、デジタル変調器３へ出力する。デジタル変調器３は、このエンコーダ２による符号化・圧縮後の信号をＩＦ信号に変換する。ＩＦ増幅器４は、このＩＦ信号を増幅し、ＩＦスイッチ回路５へ供給する。ＩＦスイッチ回路５の一方の出力は周波数変換器６に接続され、他方の出力は終端器１３に接続されている。
【００１９】
周波数変換器６は、スイッチ回路５を経た信号を周波数変換し、ＳＨＦ電力増幅器７へ供給する。ＳＨＦ電力増幅器７は、この信号を電力増幅してＳＨＦ出力８として導出する。
【００２０】
デジタルマイクロ波送信装置に供給された電源９は、電圧低下検出回路１０と電力増幅器用電源１２とに入力されており、電力増幅器用電源１２は、電源スイッチ回路１１を介してＳＨＦ電力増幅器７へ電源を供給する。停波処理制御回路１４は、発射／停波切替ＳＷ（スイッチ）１５からの信号または、電圧低下検出回路１０からの信号を受けて、ＩＦスイッチ回路５と電源スイッチ回路１１に対して制御信号を出力する。
【００２１】
ここで、停波処理制御回路１４は、発射／停波切替ＳＷ１５からの入力信号に応じて、図４に示す様なタイミングで制御信号を出力する。また、停波処理制御回路１４は、電圧低下検出回路１０からの入力信号に応じて、これまた図４に示す様なタイミングで制御信号を出力する。
【００２２】
次に、図３の回路の動作について説明する。先ず、発射／停波切替ＳＷ１５が、発射状態から停波に切替操作されたとする（図４の時刻ＴA ）。この場合には、停波処理制御回路１４は、図４（Ａ）に示す様に制御信号を出力するので、ＩＦスイッチ回路５の出力は、周波数変換器６への接続から終端器１３への接続に切替わり、ＳＨＦ電力増幅器７へは、所望の信号が入力されなくなる。つまり、ＳＨＦ電力増幅器７へ入力される信号レベルが低下することになる（図４（Ｂ）参照：時刻ＴB ）。その後、電源スイッチ回路１１は、ＳＨＦ電力増幅器７への電源供給を停止するのである（図４（Ｃ）参照：時刻ＴC ）。
【００２３】
次に、デジタルマイクロ波送信装置に供給された電源電圧が低下した時の動作について、図５を参照して説明する。電源電圧が図５（ａ）の様に低下するとする。電圧低下検出回路１０は、この電源電圧を監視しており、電源電圧が所定閾値以下になった時（時刻Ｔb ）、図５（ｂ）の様に制御信号を出力する。これに応答して、停波処理制御回路１４は、図５（ｃ）に示す様なＩＦスイッチ回路５の切替制御信号を出力する。
【００２４】
よって、ＩＦスイッチ回路５が切替制御されて、その出力が、周波数変換器６への接続から終端器１３に切替わり（時刻Ｔc ）、よって、ＳＨＦ電力増幅器７へは所望の信号が入力されなくなる。つまり、ＳＨＦ電力増幅器７へ入力される信号レベルが低下するのである。
【００２５】
その後、停波処理制御回路１４は、図５（ｄ）に示す様な電源スイッチ回路１１の制御信号を出力する。よって、電源スイッチ回路１１はＳＨＦ電力増幅器７への電源供給を停止するのである（時刻Ｔd ）。
【００２６】
従って、発射／停波切替操作及び電源電圧低下のいずれの場合にも、ＳＨＦ電力増幅器７への供給電圧が降下中には、既にＳＨＦ電力増幅器７へは信号が入力されていないことになる。よって、電波の発射を停止する際に、装置から出力されるＳＨＦ信号の隣接チャンネル漏洩電力が瞬間的に増加することがなくなるのである。
【００２７】
図６は本発明の他の実施の形態を示すブロック図であり、図３と同等部分は同一符号により示されている。図６の実施の形態においては、図３におけるＩＦスイッチ回路５の代わりに、可変減衰器１６を用いている。この可変減衰器１６を停波処理制御回路１４の制御信号（図４（Ｂ）、図５（ｃ））により制御して、信号を減衰させることにより、信号レベルの低下制御を行う様にしている。
【００２８】
図７は本発明の更に他の実施の形態を示すブロック図であり、図３と同等部分は同一符号により示されている。本例では、図３のＩＦスイッチ回路５を用いる代りに、図３に示したデジタル変調部３において、Ｄ／Ａコンバータ３４への入力信号を「０」の固定データに切替えることにより、ＳＨＦ電力増幅器７へ入力される信号レベルを低下させるように構成している。
【００２９】
すなわち、デジタル変調器３を、デジタル変調処理部３１と、固定パターン信号発生部３２と、切替スイッチ３３と、Ｄ／Ａコンバータ３４とにより構成する。そして、ＳＨＦ電力増幅器７への電源供給停止要因が発生すると、停波処理制御回路１４の制御信号により、切替スイッチ３３を制御して、デジタル変調処理部３１の出力に代えて、固定パターン信号発生部３２の出力を、Ｄ／Ａコンバータ３４へ供給するのである。
【００３０】
ここで、固定パターンとして、“０”の固定データとすることにより、ＳＨＦ電力増幅器７へ入力される信号レベルを“０”として、同様にレベル低下をなすようになっているが、前述した如く、通常の信号の平均レベルよりも低下するような固定パターンのデータを用いても良い。
【００３１】
なお、上記の各実施の形態においては、テレビジョン信号のデジタルマイクロ波送信装置に適用した場合につき説明したが、これに限らず、種々の送信装置に適用可能であることは明白である。
【符号の説明】
【００３２】
１  映像・音声信号
２  エンコーダ
３  デジタル変調器
４  ＩＦ増幅器
５  ＩＦスイッチ回路
６  周波数変換器
７  ＳＨＦ電力増幅器
８  ＳＨＦ出力
９  装置電源
１０  電圧低下検出回路
１１  電源スイッチ回路
１２  電力増幅器用電源
１３  終端器
１４  停波処理制御回路
１５  発射／停波切替ＳＷ
１６  可変減衰器
１００  電力増幅器
２００  制御部
３００  レベル制御用スイッチ回路
【図１】
2010183212.tif 000003
【図２】
2010183212.tif 000004
【図３】
2010183212.tif 000005
【図４】
2010183212.tif 000006
【図５】
2010183212.tif 000007
【図６】
2010183212.tif 000008
【図７】
2010183212.tif 000009
【図８】
2010183212.tif 000010
【図９】
2010183212.tif 000011
【図１０】
2010183212.tif 000012
【図１１】
2010183212.tif 000013